(57)【特許請求の範囲】
【請求項１】
点火用電極をそれぞれ１つ備え、該電極からの放電により燃料ガスに点火して燃焼する複数のこんろバーナと、
点火用電極を２つ備え、該２つの電極からの放電により燃料ガスに点火して燃焼するグリルバーナと、
上記こんろバーナおよび上記グリルバーナへの点火操作と連動して、出力用二次コイル３ｂおよび二次コイル３ｃに放電用の高電圧を生じるイグナイタとを備えたガステーブルコンロにおいて、
上記二次コイル３ｂに、上記グリルバーナに点火する一方の上記点火用電極と、上記こんろバーナに点火する１つの上記点火用電極とをボディアースを介して直列接続した第１通電回路と、
上記二次コイル３ｃに、上記グリルバーナに点火する他方の上記点火用電極と、他のこんろバーナに点火する１つの上記点火用電極とをボディアースを介して直列接続した第２通電回路とを備えたことを特徴とするガステーブルコンロ。
【発明の詳細な説明】
【０００１】
【発明の属する技術分野】
本発明は、こんろバーナとグリルバーナとを備えたガステーブルコンロに関する。
【０００２】
【従来の技術】
従来よりテーブルコンロには、図２に示すように、左右にこんろが設けられ、正面中央に被調理物を加熱調理するグリル１１が設けられる。
この左こんろ８ａ、右こんろ８ｂには、図３に示すように、それぞれ点火用電極４ａ、４ｂが設けられ、グリル１１内に配置されるグリルバーナ９には、それぞれ第１電極５ａと第２電極５ｂとが設けられ、器体の前面パネルにそれぞれのバーナに点火操作する点火レバー１０ａ、１０ｂ、１０ｃ（以下、点火レバーを区別しない場合には、「点火レバー１０」と呼ぶ）が設けられる。
放電用の高電圧を生じるイグナイタ１には、乾電池６電圧を昇圧する昇圧回路２と、更に高電圧に昇圧する昇圧トランス３とが設けられ、この昇圧トランス３の一方の二次コイル３ｂに、左こんろ８ａの点火用電極４ａと右こんろ８ｂの点火用電極４ｂとがこんろのボディアースを介して直列に接続され、第１の通電回路Ｃ３を形成する。
更に、コの字形のグリルバーナ９にはバーナ全面への火移り時間を短くするため、バーナの両端に第１電極５ａと第２電極５ｂとが設けられ、この２つの電極は、昇圧トランス３の他方の二次コイル３ｃにボディアースを介して直列に接続され、第２の通電回路Ｃ４を形成する。
また、それぞれの点火レバー１０ａ、１０ｂ、１０ｃと連動してＯＮ／ＯＦＦする点火スイッチ７ａ、７ｂ、７ｃ（以下、点火スイッチを区別しない場合には、「点火スイッチ７」と呼ぶ）が互いに並列に接続され、イグナイタ１の一次コイル３ａに接続される昇圧回路２と乾電池６間に直列に接続される。
【０００３】
そして、いずれかの点火レバー１０が押圧操作されると、それぞれの左こんろ８ａ、右こんろ８ｂ（以下、区別をしない場合には、「こんろバーナ８」と呼ぶ）の点火用電極４ａ、４ｂ（以下、区別をしない場合には、「点火用電極４」と呼ぶ）と、グリルバーナ９に設けられた点火用電極５ａ、５ｂ（以下、区別をしない場合には、「点火用電極５」と呼ぶ）とから同時に放電が開始される。
このとき、点火レバー１０に連動して該当バーナのガス流路が開かれ、点火用電極４、５からの放電によってその燃料ガスに点火され燃焼が開始される。
この場合に、使用者は、燃焼が開始されるまで点火レバー１０を押圧してバーナへ放電を行ない、燃焼炎を確認した後、点火レバー１０への押圧を解除する。
【０００４】
【発明が解決しようとする課題】
しかしながら、グリルバーナ９への点火は、こんろバーナ８が良好に着火するのと比べて着火ミスとなり易い問題があった。
グリルバーナ９では、第１の点火用電極５ａと第２の点火用電極５ｂとによる２つの放電ギャップが第２の通電回路Ｃ４中に形成されて、点火時に２つの放電ギャップに生ガスが流れる。
一方、こんろバーナ８では、左こんろ８ａの点火用電極４ａと右こんろ８ｂの点火用電極４ｂとによる２つの放電ギャップが第１の通電回路Ｃ３中に形成されているが、左こんろ８ａと右こんろ８ｂとを同時に点火操作することはなく、点火時に１つの放電ギャップにしか生ガスが流れない。
また、これら点火用電極から放電するために必要なエネルギーは、放電ギャップに空気がある場合に比べて、燃料ガスがある場合の方が大きく、また、放電ギャップに静止気体がある場合に比べて、流れがある場合の方が大きい。
このため、イグナイタ１を共用しているのに、グリルバーナ側の第２の通電回路Ｃ４では、こんろバーナ側の第１の通電回路Ｃ３に比べて放電開始電圧（放電するために必要な印加電圧）が大きくなって、放電エネルギーのロスが大きくなっていた。
従って、こんろバーナ８の着火率が十分に良好であるにもかかわらず、グリルバーナ９の着火率が低下してしまい、より大きな放電エネルギーを備えたイグナイタを使用しなければならなかった。
そこで、本発明のガステーブルコンロは、上記課題を解決し、イグナイタに接続される複数の通電回路間で放電エネルギーが異なってしまう不均衡を解消し、一方のバーナへの着火が良好なのに、他方のバーナへの着火が劣るという不具合を解消することを目的とする。
【０００５】
【課題を解決するための手段】
上記課題を解決する本発明の請求項１記載のガステーブルコンロは、
点火用電極をそれぞれ１つ備え、該電極からの放電により燃料ガスに点火して燃焼する複数のこんろバーナと、
点火用電極を２つ備え、該２つの電極からの放電により燃料ガスに点火して燃焼するグリルバーナと、
上記こんろバーナおよび上記グリルバーナへの点火操作と連動して、出力用二次コイル３ｂおよび二次コイル３ｃに放電用の高電圧を生じるイグナイタとを備えたガステーブルコンロにおいて、
上記二次コイル３ｂに、上記グリルバーナに点火する一方の上記点火用電極と、上記こんろバーナに点火する１つの上記点火用電極とをボディアースを介して直列接続した第１通電回路と、
上記二次コイル３ｃに、上記グリルバーナに点火する他方の上記点火用電極と、他のこんろバーナに点火する１つの上記点火用電極とをボディアースを介して直列接続した第２通電回路とを備えたことを要旨とする。
【０００６】
上記構成を有する本発明の請求項１記載のガステーブルコンロは、点火操作と連動して、第１通電回路にイグナイタの出力用二次コイル３ｂから放電用の高電圧を生じて、一方のグリルバーナ点火用電極と、こんろバーナ点火用電極の１つとから放電が行われる。
同時に、第２通電回路にイグナイタの出力用二次コイル３ｃから放電用の高電圧を生じて、他方のグリルバーナ点火用電極と、こんろバーナ点火用電極の他の１つとから放電が行われる。
また、グリルバーナへの点火操作では、通常、こんろバーナとグリルバーナとを同時に点火操作しないため、グリルバーナ側の放電ギャップにのみ燃料ガスが流れ、第１通電回路または第２通電回路のいずれであっても、通電回路中の２つの放電ギャップの内、１つの放電ギャップにしか燃料ガスが流れない。
従って、第１通電回路と第２通電回路とで、放電開始電圧および放電エネルギーのロスを同等にすることができる。
即ち、接続される複数の通電回路間で放電エネルギーが異なってしまう不均衡を解消し、一方のバーナへの着火が良好なのに、他方のバーナへの着火が劣るという不具合を解消することができる。
【０００７】
【発明の実施形態】
以上、説明した本発明の構成・作用を一層明らかにするために、以下本発明のガステーブルコンロの好適な実施例について説明する。
グリルバーナ９は、多孔質セラミックスの平面プレートに多数の小炎口を貫通させた燃焼面を有する全１次空気式のバーナでコの字形に形成される。
この燃焼面の左右端には、燃料ガスに着火する点火用第１電極５ａ、第２電極５ｂ（以下、これらを区別しないときは、単に「点火用電極５」と呼ぶ）が設けられ、噴出する燃料ガスを横切って放電されるように、バーナ固定兼用の放電板（図略）が点火用電極５ａ、５ｂに向かい合って設けられる。
【０００８】
ガス供給経路はそれぞれのバーナに通じるガス供給路に分岐され、これらのガス供給路には、点火操作時に点火レバー１０による押圧力にて開弁され、各バーナに設けられる熱電対（図略）の熱起電力によって開弁保持されるマグネット式安全弁（図略）と、点火操作時に点火レバー１０と連動してガス通路を開き、消火操作時に閉じる器具栓（図略）とが設けられる。
【０００９】
また、押圧操作により進退する点火レバー１０ａ、１０ｂ、１０ｃ毎に、連動してＯＮ／ＯＦＦする点火スイッチ７ａ、７ｂ、７ｃが設けられ、この点火スイッチ７は、点火レバー１０による押圧位置でのみＯＮし、押し離して０ＦＦする関係位置に設けられる。
また、それぞれのバーナに設けられる点火用電極へ高電圧を発生するイグナイタ１が設けられ、点火スイッチ７を介して電力を供給する乾電池６に接続される。
【００１０】
図１に示すように、高電圧を発生するイグナイタ１には、乾電池電圧を昇圧する昇圧回路２と、昇圧回路２に接続されて更に高電圧に昇圧する昇圧トランス３とが設けられ、昇圧トランス３には一次コイル３ａおよび二次コイル３ｂ、３ｃが設けられる。
そして、イグナイタ１の昇圧回路２には、互いに並列に接続された点火スイッチ７ａ、７ｂ、７ｃと、乾電池６とが直列に接続される。
また、イグナイタ１の出力側二次コイルは、２つの二次コイル３ｂ、３ｃからなり、一方の二次コイル３ｃに、グリルバーナ９の点火用第１電極５ａと、左こんろ８ａの点火用電極４ａとがそれぞれのボディアースを介して直列に接続され、第１の通電回路Ｃ１が形成される。
同様に、他方の二次コイル３ｂに、グリルバーナ９の点火用第２電極５ｂと、右こんろ８ｂの点火用電極４ｂとがそれぞれのボディアースを介して直列に接続され、第２の通電回路Ｃ２が形成される。
尚、点火用電極の放電ギャップは、こんろの点火用電極４ａ、４ｂで３．５ｍｍ、グリルバーナの点火用電極５ａ、５ｂで３ｍｍに設定される。
【００１１】
次に、図１〜図３に基づいて、グリルバーナへの点火動作を説明する。
点火レバー１０ｃが押圧されてグリルバーナ９への点火操作が行われると、点火スイッチ７ｃがＯＮされると共に、グリルバーナ９に通じるガス供給路に設けた器具栓およびマグネット式安全弁が機械的に開かれる。
点火スイッチ７ｃがＯＮされることによって、乾電池６電力がイグナイタ１の昇圧回路２を経て昇圧トランス３の一次コイル３ａに供給され、その二次コイル３ｂ、３ｃに高電圧が発生する。
そして、二次コイル３ｃに接続されたグリルバーナ９の第１電極５ａおよび左こんろ８ａの点火用電極４ａから放電が行われ、同時に、二次コイル３ｂに接続されたグリルバーナ９の第２電極５ｂおよび右こんろ８ｂの点火用電極４ｂから放電が行われる。
この際に、グリルバーナ９の第１電極５ａおよび第２電極５ｂとそれぞれの放電板間の放電ギャップに燃料ガスが流れるが、左こんろ８ａと点火用電極４ａ間および右こんろ８ｂと点火用電極４ｂ間には、燃料ガスが流れない。
従って、第１の通電回路Ｃ１に形成される２つの放電ギャップの１つが静止した空気中にあると共に、第２の通電回路Ｃ２に形成される２つの放電ギャップの１つも同様に静止した空気中にあることになる。
そのため、従来のように、グリルバーナ９の第１電極５ａと第２電極５ｂとが同一の通電回路Ｃ４に設けられて、両方の放電ギャップに燃料ガスが流れる場合に比べて、本実施例では、通電回路が異なっても、放電ギャップの１つにしか燃料ガスが流れないこととなり、通電回路毎に放電開始電圧と放電エネルギーのロスとが異なるという不均衡を解消することができる。
即ち、こんろバーナ８への着火が良好なのに、グリルバーナ９への着火が劣るという不具合を解消することができる。
尚、グリルバーナ９の点火時に、左こんろ８ａまたは右こんろ８ｂが点火されていた場合には、燃焼炎中の炎イオンにより放電ギャップ間のインピーダンスが下がるため、放電エネルギーのロスが更に小さくなって好都合となる。
【００１２】
以上、本発明の実施例について説明したが、本発明はこうした実施例に何等限定されるものではなく、本発明の要旨を逸脱しない範囲において、種々なる態様で実施し得ることは勿論である。
例えば、本実施例のように、左右２組のこんろバーナに限定されず、グリルバーナに点火する２つの点火用電極に対して、こんろバーナが２組以上ある場合には、グリルバーナの点火用電極と対となれないこんろバーナの点火用電極同士で通電回路に接続されても良い。
【００１３】
【発明の効果】
本発明のガステーブルコンロは、イグナイタに接続される複数の通電回路間で放電エネルギーが異なってしまう不均衡を解消し、一方のバーナへの着火が良好なのに、他方のバーナへの着火が劣るという不具合を、イグナイタの出力アップをすることなく簡単に解消できるという優れた効果を奏する。
【図面の簡単な説明】
【図１】本発明の実施例に係る点火用放電回路の概略図である。
【図２】ガステーブルコンロの外観図である。
【図３】従来例に係る点火用放電回路の概略図である。
【符号の説明】
２    昇圧回路
３    昇圧トランス
３ａ  一次コイル
３ｂ  二次コイル
３ｃ  二次コイル
４ａ  点火用電極
４ｂ  点火用電極
５ａ  点火用第１電極
５ｂ  点火用第２電極
６    乾電池
７ａ  点火スイッチ
７ｂ  点火スイッチ
７ｃ  点火スイッチ
８ａ  左こんろ
８ｂ  右こんろ
９    グリルバーナ
１１    イグナイタ
【図１】
0003814405.tif 000002
【図３】
0003814405.tif 000003
【図２】
0003814405.tif 000004